(57)【要約】      （修正有）【課題】標準電波が受信できないトンネル内のような場所に配置した場合にも、「同時点滅モード」や「ストリーム点滅モード」などの点滅モードを実現できるとともに、点滅器を所謂「三角コーン」に装着した場合には、そのコーンを容易に正確に位置付けて配置することができる赤外線式点滅器を提供する。【解決手段】点滅器２０はコーンに係合する係合部２２と外装部材２１により覆われている本体とによって構成されている。外装部材２１の側面には、内部の発光装置部の赤外線投光器が発する赤外線を透過させる投光窓部２５が配設されている。外装部材２１の裏側の側面には、内部の発光装置部の発光体の光用のレンズ部と、発光装置部の赤外線受光器用の受光窓部が配設されている。外装部材２１の上面部には投光窓部２５から外部に出る赤外線の投光方向を表わす赤外線投光方向表示部２７が形成されている。【選択図】図１
0003185403.tif 000002
【実用新案登録請求の範囲】
【請求項１】
道路等の工事現場の形状に合わせてガードレールや所謂「三角コーン」等の設置対象物に設置され、直線状または曲線状に複数個が整列して配置される点滅器において、
前記設置対象物に着脱自在に係合する係合部と本体とからなり、前記本体は発光体を含む発光装置部と当該発光装置部を密閉状態に保つ外装部材とを具え、前記外装部材の少なくとも一部は内部の前記発光体の光を透過可能な光透過材により構成され、
前記外装部材の側面には赤外線を受光可能な赤外線受光器が配設され、前記外装部材の前記赤外線受光器とは反対側の側面には赤外線を投光可能な赤外線投光器が配設され、
前記赤外線受光器から入力する赤外線信号に基づいて、前記発光装置部の発光制御回路が前記発光体の点滅および前記赤外線投光器からの前記赤外線信号の送信を制御し、
前記本体の外装部材の表面には、前記赤外線投光器から投光される赤外線の投光方向を表示する外部から視認可能な赤外線投光方向表示部が配設されていることを特徴とする赤外線式点滅器。
【請求項２】
前記赤外線投光方向表示部は、前記外装部材の上面部に形成された矢印形状の凸状部であることを特徴とする請求項１に記載の赤外線式点滅器。
【請求項３】
前記赤外線投光方向表示部は、前記外装部材の上面部に形成された矢印形状の蓄光塗料の塗布面であることを特徴とする請求項１に記載の赤外線式点滅器。
【考案の詳細な説明】
【技術分野】
【０００１】
本考案は、道路等の工事現場で用いられる円錐形状の所謂「三角コーン」の頭部やガードレール等に設置される点滅器に関し、殊に赤外線を用いて点滅を制御する赤外線式点滅器に関するものである。
【背景技術】
【０００２】
図５に示すように、道路等の工事現場で使用される円錐形状の「頭部がカットされている三角コーン」と呼ばれているコーン１０やガードレール等に設置される点滅器２０は従来から広く用いられている。
【０００３】
点滅器２０を装着したコーン１０は、工事現場の形状に合わせて直線状または曲線状に複数個が整列して配置されるものであり、例えば図６（ａ），（ｂ）に示したように道路Ｒ上に配置される。
【０００４】
図６（ａ），（ｂ）に示すように整列して配置され使用される点滅器２０ａ〜２０ｄに関しては、図６（ａ），（ｂ）に示すように点滅器２０ａ〜２０ｄを同時に点滅させる「同時点滅モード」と、図７（ａ）〜（ｄ）に示したように点滅器２０ａ〜２０ｄを順次点滅させる「ストリーム点滅モード」とを選択することが出来る点滅器が既に実用化されている。このような従来の点滅器２０においては、電波時計に用いる標準電波が基準信号として使用されており、各点滅器２０ａ〜２０ｄが同時に標準電波を受信し、それぞれの点滅器の発光制御回路がそれぞれの点滅を制御することによって「同時点滅モード」や「ストリーム点滅モード」を実現する構成となっている。
【考案の概要】
【考案が解決しようとする課題】
【０００５】
しかしながら、従来のこのような点滅器２０においては、図８に示すように道路ＲのトンネルＴ内に点滅器２０ｄを装着したコーン１０ｄを設置した場合には、基準信号となる標準電波が受信出来ない状態となり、「同時点滅モード」や「ストリーム点滅モード」を実現することが出来ないという問題点があった。
【０００６】
即ち、従来のこのような点滅器においては、標準電波を受信することが出来ないトンネル内等に配置した場合には、「同時点滅モード」や「ストリーム点滅モード」を実現することが出来ないという問題点があった。
【課題を解決するための手段】
【０００７】
以上の問題点を解消するために本考案は、道路等の工事現場の形状に合わせてガードレールや所謂「三角コーン」等の設置対象物に設置され、直線状または曲線状に複数個が整列して配置される点滅器において、前記設置対象物に着脱自在に係合する係合部と本体とからなり、前記本体は発光体を含む発光装置部と当該発光装置部を密閉状態に保つ外装部材とを具え、前記外装部材の少なくとも一部は内部の前記発光体の光を透過可能な光透過材により構成され、前記外装部材の側面には赤外線を受光可能な赤外線受光器が配設され、前記外装部材の前記赤外線受光器とは反対側の側面には赤外線を投光可能な赤外線投光器が配設され、前記赤外線受光器から入力する赤外線信号に基づいて、前記発光装置部の発光制御回路が前記発光体の点滅および前記赤外線投光器からの前記赤外線信号の送信を制御し、前記本体の外装部材の表面には、前記赤外線投光器から投光される赤外線の投光方向を表示する外部から視認可能な赤外線投光方向表示部が配設されていることを特徴とするものである。
【０００８】
ここで、前記赤外線投光方向表示部は、前記外装部材の上面部に形成された矢印形状の凸状部であってもよいし、また前記赤外線投光方向表示部は、前記外装部材の上面部に形成された矢印形状の蓄光塗料の塗布面であってもよい。
【考案の効果】
【０００９】
本考案によれば、標準電波が受信できないトンネル内のような場所に配置した場合にも、「同時点滅モード」や「ストリーム点滅モード」などの点滅モードを実現することができるとともに、点滅器を所謂「三角コーン」に装着した場合には、そのコーンを容易に正確に位置付けて配置することができる。
【図面の簡単な説明】
【００１０】
【図１】本考案の実施例１の構成を示す斜視図である。
【図２】本考案の実施例１の構成を示す斜視図である。
【図３】本考案の実施例１の内部の発光装置部の構成を示すブロック図である。
【図４】本考案の実施例１の使用説明図である。
【図５】従来の点滅器の説明図である。
【図６】従来の点滅器の説明図である。
【図７】従来の点滅器の説明図である。
【図８】従来の点滅器の説明図である。
【考案を実施するための形態】
【００１１】
以下、図面を用いて本考案の実施例を説明する。
【実施例１】
【００１２】
図１および図２（ａ），（ｂ）は本考案の実施例１に係る点滅器２０の外部構成を示す斜視図であり、図３は、図１および図２（ａ），（ｂ）に示す本体の外装部材２１に密閉された状態で内蔵されている発光装置部の構成を示したブロック図である。
【００１３】
図１および図２（ａ），（ｂ）に示したように、本実施例１に係る点滅器２０は、外装部材２１で覆われている本体と、コーンの頭部に着脱自在に係合する係合部２２とによって構成されている。
【００１４】
本実施例１の本体の外装部材２１は、円筒形状に形成されており、一方の側面には、内蔵されている図３に示す発光装置部のＬＥＤのような発光体３３の光を効率的に投光させるためのレンズ部２３と、発光装置部の赤外線受光器３４に外部から入力する赤外線が透過可能な受光窓部２４とが設けられている。
【００１５】
また、他方の側面には、内蔵されている発光装置部の赤外線投光器３５から出力される赤外線を外部に出力するための赤外線が透過可能な投光窓部２５と、内部の発光体３３の点滅を外部から視認するための点灯確認窓部２６が設けられている。３１は、内蔵されている発光装置部の発光体３３を「同時点滅モード」や「ストリーム点滅モード」で点滅させるための電源スイッチ兼用の切替スイッチである。
【００１６】
以上説明した本実施例１の本体の外装部材２１のうち、レンズ部２３と受光窓部２４と投光窓部２５と点灯確認窓部２６は、光が透過可能な光透過材によって構成されている。なお、本実施例１の本体の外装部材２１は、円筒形状に形成されているが、この外装部材２１の形状は円筒形状に限られるものではなく、どのような形状であってもよい。ただし、受光窓部２４と投光窓部２５とは、それぞれが本体の外装部材の反対側の側面に位置するように配設する必要がある。
【００１７】
ここで、図１に示す２７は、投光窓部２５から外部に出力される赤外線の投光方向を表示する赤外線投光方向表示部である。この赤外線投光方向表示部２７は、本実施例１においては図１に示すように、外装部材２１の上面部に形成された矢印形状の凸状部によって構成されている。なお、２７ａは、矢印形状に塗布された蓄光塗料の塗布面である。
【００１８】
このように本実施例１においては、蓄光塗料の塗布面２７ａを有する矢印形状の赤外線投光方向表示部２７を具えているので、トンネル内のような暗い場所においても、図４に示すように作業員Ｓは、この赤外線投光方向表示部２７を用いて、投光窓部２５が隣接して配置される点滅器の受光窓部２４の方向に向くように正確かつ容易に点滅器を具えた複数のコーンを整列して配置することができる。
【００１９】
次に、以上のようにして整列して配置されたコーンの各点滅器に内蔵されている図３に示した発光装置部の動作について説明する。
【００２０】
ここで、図３に示す発光装置部の発光制御回路３０の構成は、先に説明した標準電波を基準信号として用いる従来の点滅器の発光制御回路と基本的には同様な構成となっている。本実施例１の発光制御回路３０が従来の発光制御回路と異なる点は、従来のように標準電波ではなく隣接する点滅器から出力され赤外線受光器３４によって受信される赤外線信号を発光体３３の点滅を制御する基準信号として用いる点と、その基準信号に基づいて発光体３３を点灯させると同時に赤外線投光器３５から赤外線信号を出力させる点の２点だけである。
【００２１】
以上のように構成された図３に示す本実施例１の発光装置部においては、バッテリ３２からの電力のＯＮ／ＯＦＦをも兼用する切替スイッチ３１が「同時点滅モード」の状態になっているときは、赤外線受光器３４が赤外線信号を受信すると同時に、発光体３３および赤外線投光器３５が一定時間発光する。また、切替スイッチ３１が「ストリーム点滅モード」の状態になっているときは、赤外線受光器３４が赤外線信号を受信すると、予め定められた時間後に、発光体３３および赤外線投光器３５が一定時間発光する。
【００２２】
以上説明したように、本実施例１によれば、標準電波が届かないトンネル内のような暗い場所においても、迅速に正確に複数のコーンを設置することができるとともに、「同時点滅モード」や「ストリーム点滅モード」を実現することができる。
【００２３】
なお、以上説明した本実施例１は所謂「三角コーン」に装着可能な係合部２２を有するものであるが、この係合部２２を別の構造の係合部にするか、又は、この係合部２２にアタッチメントを装着すれば、ガードレールやフェンス等の設置対象物への本実施例１の設置が可能となる。
【符号の説明】
【００２４】
１０，１０ａ，１０ｂ，１０ｃ，１０ｄ  コーン
２０，２０ａ，２０ｂ，２０ｃ，２０ｄ  点滅器
２１  外装部材
２２  係合部
２３  レンズ部
２４  受光窓部
２５  投光窓部
２６  点灯確認窓部
２７  赤外線投光方向表示部
２７ａ  蓄光塗料の塗布面
３０  発光制御回路
３１  切替スイッチ
３２  バッテリ
３３  発光体
３４  赤外線受光器
３５  赤外線投光器
Ｒ  道路
Ｓ  作業員
Ｔ  トンネル
【図１】
0003185403.tif 000003
【図２】
0003185403.tif 000004
【図３】
0003185403.tif 000005
【図４】
0003185403.tif 000006
【図５】
0003185403.tif 000007
【図６】
0003185403.tif 000008
【図７】
0003185403.tif 000009
【図８】
0003185403.tif 000010